【手続補正書】
【提出日】平成16年1月27日(2004.1.27)
【手続補正１】
【補正対象書類名】明細書
【補正対象項目名】全文
【補正方法】変更
【補正の内容】
【発明の名称】非平坦屋根の緑化構造及びその工法
【特許請求の範囲】
【請求項１】表面に凹凸形状を形成する非平坦屋根の緑化構造において、上記非平坦屋根の凸状部に止め金具を設け、同非平坦屋根の表面に植生マット又は土壌保持マットの少なくとも何れか一方を配置して上記止め金具により固定したことを特徴とする非平坦屋根の緑化構造。
【請求項２】上記止め金具は剣山状に配設したボルトにより形成したことを特徴とする請求項１に記載の非平坦屋根の緑化構造。
【請求項３】上記植生マット及び土壌保持マットは柔軟で強度を有する不織布状の部材により形成されたことを特徴とする請求項１に記載の非平坦屋根の緑化構造。
【請求項４】上記土壌保持マットは上記非平坦屋根の凹状部の方向にふくらむポケット部を形成して床土層を保持したことを特徴とする請求項１に記載の非平坦屋根の緑化構造。
【請求項５】非平坦屋根の緑化工法において、上記非平坦屋根の隣接する凹状部に、間隙部を有して植生マット又は土壌保持マットの少なくとも何れか一方を配置し、これを上記非平坦屋根の凸状部に固定して一体化したことを特徴とする非平坦屋根の緑化工法。
【請求項６】上記植生マットの植生を予め養生畑で行い、これを搬入して上記非平坦屋根の凸状部に固定して一体化したことを特徴とする請求項５に記載の非平坦屋根の緑化工法。
【発明の詳細な説明】
【０００１】
【発明の属する技術分野】
本発明は折板屋根等のように、非平坦屋根を有する建築構造物の屋上緑化の技術に関するものである。
【０００２】
【従来の技術】
周知のように、近時地球の温暖化は著しく、都市部においては酷暑現象やヒートアイランド現象が著しくなり、これに対処する屋上緑化等の緑化技術が景観美化と相侯って盛んに導入されている。
【０００３】
しかしながら、折板屋根やスレート屋根等、非平坦屋根を緑化する場合には、該屋根面が非平坦で一定方向に凹凸部が多くなる構造であるためにその施工が容易ではなく、したがって、この非平坦屋根にアングルを介して木毛セメント板等を乗せ、更に防水処理を施して平坦な基盤を形成し、その上に緑化システムを現出する態様が多かった。
【０００４】
【特許文献１】
特開２００２−１２５４５１号公報
【０００５】
【発明が解決しようとする課題】
しかしながら、このような従来の緑化構造、又はその施工方法を採用する場合には、部材点数が多いこと、また、工程も複雑であること等が原因となり、コスト的に安くならなくなって緑化のメリットも薄れ、計画倒れとなり実際には採用されない場合がしばしば見受けられた。
【０００６】
特に建築物の屋根は、それ自体が施工や構造が大掛かりなものであることから、同屋根の緑化も追随的に大掛かりなものとならざるを得ず、そのために緑化がなされなくなるというものであった。
【０００７】
【課題を解決するための手段】
この出願の発明は、上記した従来の技術に基づく非平坦部を有する屋根における屋上緑化に関連する問題点を解決すべき技術的課題とし、柔軟性のある不織布状の土壌保持マット等を用い、植生マットと相侯って緑化をなし、しかも、床土層を有しながら施工困難な屋根でも極めて簡易に緑化が出来る非平坦屋根緑化構造及びその緑化工法を提供するようにしたものである。
【０００８】
すなわち、上記した特許請求の範囲を要旨とするこの発明の構成は、上記の技術的課題を解決するために、表面に凹凸形状を形成する非平坦屋根の緑化構造において、上記非平坦屋根の凸状部に止め金具を設け、同非平坦屋根の表面に植生マット又は土壌保持マットの少なくとも何れか一方を配置して上記止め金具により固定したことを第一の基幹とし、その際、上記止め金具は剣山状に配設したボルトにより形成し、また、上記植生マット及び土壌保持マットは柔軟で強度を有する不織布状の部材により形成し、また、上記土壌保持マットは上記非平坦屋根の凹状部の方向にふくらむポケット部を形成して床土層を保持し、更に、また、非平坦屋根の緑化工法において、上記非平坦屋根の隣接する凹状部に、間隙部を有して植生マット又は土壌保持マットの少なくとも何れか一方を配置し、これを上記非平坦屋根の凸状部に固定して一体化することを第二の基幹とし、そしてその際、上記植生マットの植生を予め養生畑で行い、これを搬入して上記非平坦屋根の凸状部に固定して一体化するようにした技術的手段を講じたものである。
【０００９】
そして上記構成において、折板屋根等の非平坦の屋根に緑化を施すようにすることに際し、植生マット又は土壌保持マットの少なくとも何れか一方を止め金具により非平坦屋根の凸状部に固定し、その際に剣山状に配設したボルトを止め金具として好適に固定し、また、柔軟で強度を有する不織布状の植生マット及び土壌保持マットを重層状にして一体的に固定し、また、ポケット部では床土層を保持することによりその下部において間隙を屋根との間に形成して該屋根が直接的に植生マットの水分に触れずに経時的な腐蝕が避けられるようにし、また、設計通りのスムーズな手順により施工が簡易に行われ、コストダウンが図れるようにするものであり、緑化が外観的にも見栄えが良いようにしたものである。
【００１０】
【発明の実施の形態】
次にこの出願の発明の実施の一形態を図１及び図２に基づいて説明する。
図１は本実施の形態に係る非平坦屋根の緑化構造の要部を拡大して示す断面図で、（ア）は図２のＡ−Ａ断面図、（イ）は図２のＢ−Ｂ断面図、図２は本実施の形態の全体概略平面図である。
【００１１】
図示の実施形態は、都市近郊に建築される店舗や工場の倉庫等の折板屋根として想定されるもので、非平坦屋根の典型的な例であり、２は建物の梁を示し、この梁２の上部には断面形状で凹凸となったタイトフレーム３が固定され、同タイトフレーム３にはその形状なりに凹凸変形した金属板である折板が被せられ、金属製折板屋根１が形成されている。
【００１２】
上記金属製折板屋根１の凸状部１ａには、同凸状部１ａの長手方向に沿って延びる剣山１５が固着されている。
ここで剣山１５は、細板状のフラットバー１５ａの表面に直立して上方に延びる複数のボルト７を溶接又は埋め込み等の適宜の手段により一定のピッチで植え込んだもので、花器の剣山を想定されるところからこのように命名している。
【００１３】
なお、更に詳細に言えば、上記剣山１５を構成するボルト７のうち、いくつかのものは、上記タイトフレーム３と上記折板を連結して金属製折板屋根１として固定する剣先ボルト５が混在している。
【００１４】
１０ａは柔軟性と強度に富んだ不織布状のマット部材で形成された土壌保持マットで、上記金属製折板屋根１の凹状部に所定の間隙部１２をのこし、ポケット状に膨らんで嵌まるように同金属製折板屋根１の凸状部を覆っている。
【００１５】
１０ｂは緑化システムの中枢となる緑化植物を植生した植生マットを示し、同植生マット１０ｂは上記金属製折板屋根１の凸状部の上方で上記土壌保持マット１０ａに部分的に重ねられて敷設されている。
【００１６】
なお、植生マット１０ｂと土壌保持マット１０ａがこのような配列にされるということは、説明が多少前後するが、同植生マット１０ｂ及び土壌保持マット１０ａには、上記剣山１５のボルト７及び剣先ボルト５が貫通する穴が設けられており、この穴を貫通したボルト７及び剣先ボルト５はワッシャー９ａ、９ｂ等を介在させてナット８で上記植生マット１０ｂ及び土壌保持マット１０ａを上記金属製折板屋根１の凸状部に重層状をなして堅牢に固着している。
【００１７】
換言すれば、上記ボルト７を植設し、かつ剣先ボルト５を混在させた剣山１５により植生マット１０ｂ及び土壌保持マット１０ａの止め金具を構成し、同止め金具により植生マット１０ｂ及び土壌保持マット１０ａは金属製折板屋根１の凸状部に重層状をなして堅牢に固着されている。
【００１８】
なお、上記した剣先ボルト５が土壌保持マット１０ａを固定する位置では、剣先ボルト５のシャンク部を収容し上底面を有する円筒状の押え金具５ａを配置しておけば、同押え金具５ａとナット８との間で植生マット１０ｂを強固に固定でき、更にワッシャー９ａ又は９ｂ等をネジ切りワッシャーとすることにより、上記植生マット１０ｂの固定をより強固に行うことができる。
【００１９】
また、１３は土壌保持マット１０ａで保持された土壌を示し、予め養生畑で植生された植生マット１０ｂがこの土壌１３の上面に敷設されることにより、緑化植物１９は生命力を長く保ち、かつ成長することになる。
【００２０】
本実施の形態は上記のように構成されているので、金属製折板屋根１の隣接する凸状部間を跨ぎ、かつ同凸状部間に形成される凹状部にポケット状に膨らんで配置された上記土壌保持マット１０ａ及び同土壌保持マット１０ａの上部に敷設されて上記凸状部で土壌保持マット１０ａと重層状をなしている植生マット１０ｂは、剣山１５のボルト７（一部剣先ボルト５を含む）、ワッシャー９ａ、ナット８等でなる止め金具により上記凸状部に堅牢に固着される。
【００２１】
そしてこのとき上記土壌保持マット１０ａは金属製折板屋根１との間に間隙部１２を形成する位置関係となっているので、非平坦屋根である金属製折板屋根１は直接的に植生マット１０ｂ、土壌保持マット１０ａ等に触れることはなく、植生マット１０ｂ等が帯びている水分による永続的な接触腐蝕は避けられるものである。
【００２２】
また、上記植生マット１０ｂは遠隔の養生畑において経時的に所定の植生がなされたものが搬入され、上記したように土壌保持マット１０ａで保持された土壌１３上に敷設され、かつ、土壌保持マット１０ａと共に止め金具により金属製折板屋根１の凸状部に固着されて緑化工事が屋上緑化として完了し、その外形的見栄えが良い状態となる。
【００２３】
そして、一旦施工が終了すれば、ナット８とワッシャー（ネジ切りワッシャーを含む）９ａがシャンクとしてのボルト７を介して金属製折板屋根１とタイトフレーム３と共に梁２に対して固着状態にされているために、何等、緩んだりすることもなく、堅牢な固着がなされ耐久性は充分に保たれるものである。
【００２４】
なお、上記した土壌保持マット１０ａと植生マット１０ｂは、柔軟性と強度に富んだ不織布状のマット部材で形成されたものであり、同マット部材を形成する繊維素材は、綿、麻、セルロース、ジュート、毛、絹等の天然繊維、カーボン繊維、アセテート、レーヨン等の再生繊維、ポリエステル、ポリアミド（ナイロン）、アクリル等の合成繊維が採用され得る。
【００２５】
なおまた、本実施形態では土壌保持マット１０ａ及び植生マット１０ｂを共に用いるものを説明したが、土壌保持マット１０ａのみを採用し、同土壌保持マット１０ａで保持した土壌１３に直接緑化植物を植生する応用変形も採用し得るものである。
【００２６】
この応用例では、土壌保持マット１０ａで保持された土壌１３は、金属製折板屋根１の凹状部を樋状、又は畝状に延びることになるが、この樋状、又は畝状の土壌１３に、その長手方向で適宜の位置に面戸部材を配設し、この細長い土壌１３の畝を長手方向で複数に区画することにより、土壌１３の保持をより安定することも出来る。
【００２７】
更にまた、土壌保持マット１０ａ及び植生マット１０ｂのうち、土壌保持マット１０ａを外して植生マット１０ｂのみとし、同植生マット１０ｂを金属製折板屋根１の隣接する凸状部に保持し、全体を簡素化する応用も採用し得る。
【００２８】
なおまた、本実施の形態においては、金属製折板屋根１の凹状部に膨らんで配置された土壌保持マット１０ａは、金属製折板屋根１との間に間隙部１２を形成し、植生マット１０ｂ、土壌１３等からの水分を滞留しない配慮をしたものであるが、土壌保持マット１０ａの下面、又は金属製折板屋根１の上面に沿って防水シートを設置し、同防水シートの共働の下で上記水分による金属製折板屋根１の腐蝕発生を防止することも出来るものである。
【００２９】
以上、本発明を図示の実施の形態について説明したが、本発明はかかる実施の形態に限定されず、本発明の範囲内でその具体的構造に種々の変更を加えてよいことはいうまでもない。
【００３０】
【発明の効果】
以上、この出願の発明によれば、折板等の非平坦な屋根を従来技術にしたがって緑化する際に顕在することとなる不具合、すなわち、アングルを介して木毛セメント板等を乗せ、防水処理を施して平板状に緑化システムを構築する等々の工程のためにコスト高を招き、且つ、施工手順も繁雑であり、緑化メリットを薄くするという不具合がなくなり、施工が大がかりにならずに済み、適切な緑化が行われ、屋根材が間隙を介して浮いた状態の床土層を介装し、また、間隙を介して折板屋根上にセットするために、当該折板屋根は植生マット、土壌保持マット等に直接接触せず、したがって、水分の影響を永続的には受けず直接的な腐蝕作用はなく、耐久性が良好である等々の優れた効果を奏し得るものである。
【図面の簡単な説明】
【図１】本発明の実施の一形態に係る非平坦屋根の緑化構造の要部を拡大して示す断面図で、（ア）は図２のＡ−Ａ断面図、（イ）は図２のＢ−Ｂ断面図である。
【図２】本実施の形態の全体概略平面図である。
【符号の説明】
１            金属製折板屋根
１ａ          凸状部
２            梁
３            タイトフレーム
５            剣先ボルト
５ａ          押え金具
７            ボルト
８            ナット
９ａ、９ｂ    ワッシャー
１０ａ          土壌保持マット
１０ｂ          植生マット
１２            間隙部
１３            土壌
１５            剣山
１５ａ          フラットバー
１９            緑化植物


【手続補正２】
【補正対象書類名】図面
【補正対象項目名】全図
【補正方法】変更
【補正の内容】
【図１】
2004116022.tif 000001
【図２】
2004116022.tif 000002